【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
パーカッションデバイスであって、
導電配線のアレイがその第１表面に形成された誘電体基板と、
前記誘電体基板に位置合わせされ、かつ、前記誘電体基板の前記第１表面、および前記導電配線と接しているピエゾ抵抗基板であって、前記導電配線および前記ピエゾ抵抗基板は、前記パーカッションデバイスの複数のセンサ領域を形成し、前記複数のセンサ領域の各々は、複数のセンサを含み、前記複数のセンサの各々は、対応するセンサ出力を含む、ピエゾ抵抗基板と、
前記複数のセンサを順次駆動し、前記センサ出力を順次サンプリングし、かつ、前記パーカッションデバイスの上面におけるヒットイベントを検出するセンサ回路であって、前記ヒットイベントに対応する、前記複数のセンサ領域のうち１つと、前記アレイに対する前記ヒットイベントの位置と、前記ヒットイベントの速度とをヒットイベント毎に判断する、センサ回路と
を備えるパーカッションデバイス。
【請求項２】
導電配線の前記アレイは、ほぼ円形であり、前記複数のセンサ領域の各々は、前記アレイの四分円に相当し、各ヒットイベントの前記位置は、前記アレイの中心に対して半径方向の距離である、請求項１に記載のパーカッションデバイス。
【請求項３】
前記アレイの前記導電配線は、同心円となるように配置され、前記導電配線のうち第１導電配線は、前記複数のセンサを駆動し、前記導電配線のうち第２導電配線は、前記センサ出力をサンプリングし、前記第１導電配線および前記第２導電配線は、前記同心円の交互に並んだものに相当する、請求項２に記載のパーカッションデバイス。
【請求項４】
各センサ領域に関連付けられる前記第１導電配線は、他のセンサ領域に関連付けられる前記第１導電配線と不連続であり、各センサ領域の前記第１導電配線は、半径方向の導電配線により互いに電気的に接続される、請求項３に記載のパーカッションデバイス。
【請求項５】
前記第２導電配線は、前記複数のセンサ領域の全てを通じて連続している、請求項３または４に記載のパーカッションデバイス。
【請求項６】
前記センサ回路は、第１センサ領域における前記センサ出力の複数の値に基づいて、前記第１センサ領域の第１ヒットイベントを検出し、前記複数の値の各々は、前記第１センサ領域に含まれる前記複数のセンサのうち１つに対応し、前記センサ回路は更に、前記複数の値を補間することにより前記第１ヒットイベントの前記位置を判断する、請求項１から５のいずれか一項に記載のパーカッションデバイス。
【請求項７】
前記センサ回路は、前記複数の値の各々に関連付けられるセンサ位置と、前記複数の値の各々の大きさとを用いて、前記複数の値を補間する、請求項６に記載のパーカッションデバイス。
【請求項８】
前記センサ回路は、第１センサ領域における前記センサ出力の複数の値に基づいて、前記第１センサ領域の第１ヒットイベントを検出し、前記複数の値の各々は、前記第１センサ領域に含まれる前記複数のセンサのうち１つに対応し、前記センサ回路は更に、前記複数の値の中で最も大きい、前記複数の値のうち第１の値に基づいて、前記第１ヒットイベントの前記速度を判断する、請求項１から７のいずれか一項に記載のパーカッションデバイス。
【請求項９】
前記センサ回路は、第１センサの前記センサ出力が指定の継続時間よりも長い時間にわたって振幅閾値を超えていると判断することにより、第１センサ領域における前記第１センサのヒットイベントを検出する、請求項１から８のいずれか一項に記載のパーカッションデバイス。
【請求項１０】
前記ピエゾ抵抗基板は、ピエゾ抵抗生地である、請求項１から９のいずれか一項に記載のパーカッションデバイス。
【請求項１１】
前記パーカッションデバイスの前記上面は、前記誘電体基板および前記ピエゾ抵抗基板を含むコンポーネントの積層体中にあるシリコーン基板である、請求項１から１０のいずれか一項に記載のパーカッションデバイス。
【請求項１２】
前記センサ回路の少なくとも一部が、前記誘電体基板のノッチに配設される回路基板に含まれ、前記回路基板の導体が、前記誘電体基板上の前記導電配線のうち少なくとも幾つかに接続される、請求項１から１１のいずれか一項に記載のパーカッションデバイス。
【請求項１３】
前記誘電体基板の前記第１表面とは反対側の、前記誘電体基板の第２表面に隣接する電磁波干渉（ＥＭＩ）遮蔽を更に備える、請求項１から１２のいずれか一項に記載のパーカッションデバイス。
【請求項１４】
前記ＥＭＩ遮蔽は、前記誘電体基板の前記第２表面と一体化された導電メッシュを含む、請求項１３に記載のパーカッションデバイス。
【請求項１５】
前記センサ回路は、センサ毎のオフセット値を繰り返し計算する、請求項１から１４のいずれか一項に記載のパーカッションデバイス。
【請求項１６】
パーカッションデバイスであって、
導電配線のアレイがその表面に形成されたピエゾ抵抗基板であって、前記導電配線および前記ピエゾ抵抗基板は、前記パーカッションデバイスの複数のセンサ領域を形成し、前記複数のセンサ領域の各々は、複数のセンサを含み、前記複数のセンサの各々は、対応するセンサ出力を含む、ピエゾ抵抗基板と、
前記複数のセンサを順次駆動し、前記センサ出力を順次サンプリングし、かつ、前記パーカッションデバイスの上面におけるヒットイベントを検出するセンサ回路であって、前記センサ回路は、前記ヒットイベントに対応する、前記複数のセンサ領域のうち１つと、前記アレイに対する前記ヒットイベントの位置と、前記ヒットイベントの速度とをヒットイベント毎に判断する、センサ回路と
を備えるパーカッションデバイス。
【請求項１７】
導電配線の前記アレイは、ほぼ円形であり、前記複数のセンサ領域の各々は、前記アレイの四分円に相当し、各ヒットイベントの前記位置は、前記アレイの中心に対して半径方向の距離である、請求項１６に記載のパーカッションデバイス。
【請求項１８】
前記アレイの前記導電配線は、同心円となるように配置され、前記導電配線のうち第１導電配線は、前記複数のセンサを駆動し、前記導電配線のうち第２導電配線は、前記センサ出力をサンプリングし、前記第１導電配線および前記第２導電配線は、前記同心円の交互に並んだものに相当する、請求項１７に記載のパーカッションデバイス。
【請求項１９】
各センサ領域に関連付けられる前記第１導電配線は、他のセンサ領域に関連付けられる前記第１導電配線と不連続であり、各センサ領域の前記第１導電配線は、半径方向の導電配線により互いに電気的に接続される、請求項１８に記載のパーカッションデバイス。
【請求項２０】
前記第２導電配線は、前記複数のセンサ領域の全てを通じて連続している、請求項１８または１９に記載のパーカッションデバイス。
【請求項２１】
前記センサ回路は、第１センサ領域における前記センサ出力の複数の値に基づいて、前記第１センサ領域の第１ヒットイベントを検出し、前記複数の値の各々は、前記第１センサ領域に含まれる前記複数のセンサのうち１つに対応し、前記センサ回路は更に、前記複数の値を補間することにより、前記第１ヒットイベントの前記位置を判断する、請求項１６から２０のいずれか一項に記載のパーカッションデバイス。
【請求項２２】
前記センサ回路は、前記複数の値の各々に関連付けられるセンサ位置と、前記複数の値の各々の大きさとを用いて、前記複数の値を補間する、請求項２１に記載のパーカッションデバイス。
【請求項２３】
前記センサ回路は、第１センサ領域における前記センサ出力の複数の値に基づいて、前記第１センサ領域の第１ヒットイベントを検出し、前記複数の値の各々は、前記第１センサ領域に含まれる前記複数のセンサのうち１つに対応し、前記センサ回路は更に、前記複数の値の中で最も大きい、前記複数の値のうち第１の値に基づいて、前記第１ヒットイベントの前記速度を判断する、請求項１６から２２のいずれか一項に記載のパーカッションデバイス。
【請求項２４】
前記センサ回路は、第１センサの前記センサ出力が指定の継続時間よりも長い時間にわたって振幅閾値を超えていると判断することにより、第１センサ領域における前記第１センサのヒットイベントを検出する、請求項１６から２３のいずれか一項に記載のパーカッションデバイス。
【請求項２５】
前記ピエゾ抵抗基板は、ピエゾ抵抗生地である、請求項１６から２４のいずれか一項に記載のパーカッションデバイス。
【請求項２６】
前記パーカッションデバイスの前記上面は、前記ピエゾ抵抗基板を含むコンポーネントの積層体中にあるシリコーン基板である、請求項１６から２５のいずれか一項に記載のパーカッションデバイス。
【請求項２７】
前記センサ回路の少なくとも一部が、前記ピエゾ抵抗基板のノッチに配設される回路基板に含まれ、前記回路基板の導体が、前記ピエゾ抵抗基板上の前記導電配線のうち少なくとも幾つかに接続される、請求項１６から２６のいずれか一項に記載のパーカッションデバイス。
【請求項２８】
電磁波干渉（ＥＭＩ）遮蔽を更に備える、請求項１６から２７のいずれか一項に記載のパーカッションデバイス。
【請求項２９】
前記ＥＭＩ遮蔽は、誘電体基板と一体化され、かつ、前記ピエゾ抵抗基板から電気的に分離された導電メッシュを有する、請求項２８に記載のパーカッションデバイス。
【請求項３０】
前記センサ回路は、センサ毎のオフセット値を繰り返し計算する、請求項１６から２９のいずれか一項に記載のパーカッションデバイス。